(57)【要約】【課題】キャビネット側に取り付けられるキャビネット側ユニットと扉側に取り付けられるシリンダ錠ユニットとを備えたゲーム機の施錠装置において、両ユニットともに小型軽量化を図り、取付スペースの縮小を図ることができるゲーム機の施錠装置を提供する。【解決手段】施錠装置は、キャビネットの内側に取り付けられる縦長の基枠体２を有し、基枠体内にラッチ部材３，４が回動可能に枢支されてなるキャビネット側ユニット１と、キャビネットに開閉可能に装着された前扉に取り付けられ、基枠３１にシリンダ錠３２を設けたシリンダ錠ユニット３０と、を備える。前扉側に設けられた受け金具の円柱部材３５、５１がキャビネット側ユニット１のラッチ部材３，４に拘束係止させて前扉が施錠される。【選択図】図６
2015196074.tif 000002
【特許請求の範囲】
【請求項１】
キャビネットの内側に取り付けられる縦長の基枠体を有し、該基枠体内にラッチ部材が回動可能に枢支されてなるキャビネット側ユニットと、
該キャビネットに開閉可能に装着された前扉に取り付けられ、基枠にシリンダ錠を設けたシリンダ錠ユニットと、
を備え、該前扉側に設けられた受け金具の円柱部材を、該キャビネット側ユニットの該ラッチ部材に拘束係止させて該前扉を施錠するゲーム機の施錠装置であって、
該キャビネット側ユニットは、縦長で略コ字状の横断面を有する基枠体の内側に、該ラッチ部材を回動可能に枢支し、該基枠体の内側に該ラッチ部材の係止を解除する作動杆を摺動可能に配設して構成され、
該基枠体は、取付側面の幅が正面の幅より広い長方形断面を有した薄型に形成され、
該基枠体の開口側にはカバー部材が、複数の円筒スペーサを該基枠体の内部に介在させて開口を閉鎖するように取り付けられ、
該基枠体には、該前扉側の該円柱部材を進入させる受入開口部が設けられ、該受入開口部の近傍に該ラッチ部材が支軸により軸支され、該ラッチ部材には進入により回動して該円柱部材を拘束する溝状の拘束凹部が設けられ、該円柱部材の拘束状態を保持するための係止ピンが設けられ、
該シリンダ錠ユニットは、該基枠内に摺動部材が該シリンダ錠の錠軸に固定されたカム部材と係合可能に且つ摺動可能に配設され、該摺動部材には該前扉の閉鎖時に該キャビネット側ユニットの該作動杆の受入係合部と係合する係合ピンが設けられ、
該キャビネット側ユニット内の該作動杆は、該前扉の閉鎖時に該ラッチ部材が回動して該前扉側の円柱部材を拘束した状態を係止し、該シリンダ錠ユニットのシリンダ錠による解錠操作に応じて摺動し該ラッチ部材の係止を解除するように構成され、
該キャビネット側ユニットの該基枠体は、該複数の円筒スペーサ内に固定ねじを嵌挿させ、該カバー部材と共締めする形態で該キャビネットの内側壁面に固定されることを特徴とするゲーム機の施錠装置。
【請求項２】
前記シリンダ錠ユニットの前記基枠に取り付けた前記シリンダ錠の真後位置に、ローラ取付部が背面側に突設され、該ローラ取付部には支持ローラが軸支され、前記キャビネット側ユニットの前記基枠体に、該支持ローラを受けて支持するローラ支持部が設けられたことを特徴とする請求項１記載のゲーム機の施錠装置。
【請求項３】
前記シリンダ錠ユニットの前記基枠の上部が上方に延設され、該上部の延設部位に円柱部材が固定され、該円柱部材は施錠時、前記キャビネット側ユニットの上部のラッチ部材に拘束される位置に配置され、該キャビネット側ユニットの下部のラッチ部材に対応して、下部の円柱部材を有する受け金具が該前扉に取り付けられたことを特徴とする請求項２記載のゲーム機の施錠装置。
【発明の詳細な説明】
【技術分野】
【０００１】
本発明は、スロットマシン等のゲーム機の扉をキャビネットに対し施錠する施錠装置に関し、特に、扉側に取り付けられシリンダ錠などを設けてユニット化したシリンダ錠ユニットと、キャビネット側に取り付けられ基枠体、ラッチ部材、作動杆などをユニット化したキャビネット側ユニットとを備えたゲーム機の施錠装置に関する。
【背景技術】
【０００２】
従来、スロットマシンなどゲーム機の施錠装置として、基枠体の内側に作動杆が摺動可能に配設され、基枠体の支持板の上部と下部に鉤部材が、作動杆に連結されて傾動可能に枢支され、基枠体の取付板の中間部に、シリンダ錠がその錠軸を取付板に設けた孔から内側に差し込むように固定され、錠軸の先端に作動杆と係合するカム部材が取り付けられた構成の施錠装置が使用されている。
【０００３】
この種のゲーム機用施錠装置は、構造が強固で、施錠・解錠動作も確実に行うことができるものの、構造上、前面枠の内側に取付けられた施錠装置の鉤部材が前面枠の内側から突出する。このため、前面枠のアッセンブリーを梱包して搬送する場合、その梱包が難しく、突出した鉤部材が搬送中に他の部分に当たって傷つく等の問題があった。
【０００４】
そこで、本発明者らは、従来、前面枠の内側から突出する部分がなく、前面枠をキャビネットに対し、円滑且つ確実に施錠・解錠することができるゲーム機の施錠装置を提案した（下記の特許文献１を参照）。
【先行技術文献】
【特許文献】
【０００５】
【特許文献１】特開２００４−１０５４１７号公報
【発明の概要】
【発明が解決しようとする課題】
【０００６】
この施錠装置は、取付板と支持板とを有する基枠体の内側に長尺の作動杆が摺動可能に配設され、取付板の中間部にシリンダ錠が固定され、シリンダ錠の錠軸にカム部材が作動杆に係合可能に取り付けられ、基枠体の取付板が前面枠の内側に取り付けられ、キャビネットの内側に受け具が取り付けられる。基枠体の支持板の上部と下部に受け具の進入を許容する開口凹部が形成され、開口凹部内の受け具を拘束する溝状のラッチ凹部を有する略半円形状のラッチ部材が上部と下部の開口凹部の近傍に各々回動可能に枢支される。
【０００７】
ラッチ部材には係止ピンが移動可能に取り付けられ、支持板に係止ピンの先端が係合しガイドされるガイド係止孔がロック部を有して形成され、作動杆にはその移動時にラッチ部材の係止ピンに係合してロック部によるロックを外すように動作する作動係合部が設けられ、ラッチ部材を解錠側に付勢するばね部材が装着される。
【０００８】
この施錠装置は、前面枠を閉じて施錠操作を行なったとき、上部と下部のラッチ部材のラッチ凹部に受け具の係止部が嵌入し、その係止部に押されてラッチ部材がラッチ位置に回動した時、ラッチ部材の係止ピンがガイド係止孔からロック部に移動し、ラッチ部材をラッチ位置にロックして施錠する。一方、解錠時にはシリンダ錠の操作によりカム部材を介して作動杆が移動すると、作動杆の作動係合部がロック部によるラッチ部材のロックを外すように動作し、ラッチ部材がばね部材の付勢力により解錠側に回動し、解錠する。
【０００９】
ところで、スロットマシン等のゲーム機では、キャビネット内の開口部近傍に大型の電気機器が取り付けられる場合が多く、また、キャビネットの前面を開閉する前扉の内側においても、ディスプレイ装置など多数の電機機器が取り付けられるケースが増している。このため、キャビネット内の開口部近傍の内側に配置されるキャビネット側ユニットの取付スペースが最少に制約され、前扉の内側に取り付けられるシリンダ錠ユニットにおいても、小型軽量化が強く要望されている。
【００１０】
本発明は、上記の点に鑑みなされたもので、キャビネット側に取り付けられるキャビネット側ユニットと扉側に取り付けられるシリンダ錠ユニットとを備えたゲーム機の施錠装置において、両ユニットともに小型軽量化を図り、取付スペースの縮小を図ることができるゲーム機の施錠装置を提供することを目的とする。
【課題を解決するための手段】
【００１１】
上記目的を達成する本発明のゲーム機の施錠装置は、
キャビネットの内側に取り付けられる縦長の基枠体を有し、該基枠体内にラッチ部材が回動可能に枢支されてなるキャビネット側ユニットと、
該キャビネットに開閉可能に装着された前扉に取り付けられ、基枠にシリンダ錠を設けたシリンダ錠ユニットと、
を備え、該前扉側に設けられた受け金具の円柱部材を、該キャビネット側ユニットの該ラッチ部材に拘束係止させて該前扉を施錠するゲーム機の施錠装置であって、
該キャビネット側ユニットは、縦長で略コ字状の横断面を有する基枠体の内側に、該ラッチ部材を回動可能に枢支し、該基枠体の内側に該ラッチ部材の係止を解除する作動杆を摺動可能に配設して構成され、
該基枠体は、取付側面の幅が正面の幅より広い長方形断面を有した薄型に形成され、
該基枠体の開口側にはカバー部材が、複数の円筒スペーサを該基枠体の内部に介在させて開口を閉鎖するように取り付けられ、
該基枠体には、該前扉側の該円柱部材を進入させる受入開口部が設けられ、該受入開口部の近傍に該ラッチ部材が支軸により軸支され、該ラッチ部材には進入により回動して該円柱部材を拘束する溝状の拘束凹部が設けられ、該円柱部材の拘束状態を保持するための係止ピンが設けられ、
該シリンダ錠ユニットは、該基枠内に摺動部材が該シリンダ錠の錠軸に固定されたカム部材と係合可能に且つ摺動可能に配設され、該摺動部材には該前扉の閉鎖時に該キャビネット側ユニットの該作動杆の受入係合部と係合する係合ピンが設けられ、
該キャビネット側ユニット内の該作動杆は、該前扉の閉鎖時に該ラッチ部材が回動して該前扉側の円柱部材を拘束した状態を係止し、該シリンダ錠ユニットのシリンダ錠による解錠操作に応じて摺動し該ラッチ部材の係止を解除するように構成され、
該キャビネット側ユニットの該基枠体は、該複数の円筒スペーサ内に固定ねじを嵌挿させ、該カバー部材と共締めする形態で該キャビネットの内側壁面に固定されることを特徴とする。
【００１２】
この発明の施錠装置によれば、シリンダ錠を有したシリンダ錠ユニットがキャビネット側ユニットとは分離して前扉に取り付けられ、キャビネット側ユニットの薄型の基枠体は、内部に配置した複数の円筒スペーサ内に固定ねじを嵌挿させ、カバー部材と共締めする形態でキャビネットの内側壁面に固定されるので、キャビネット内の開口部近傍に大型の電気機器が取り付けられるゲーム機、或いはディスプレイ装置など多数の電機機器が前扉に取り付けられるゲーム機であっても、狭いキャビネット内のスペースに、キャビネット側ユニットを簡単に取り付けることができる。また、キャビネット側ユニットから分離した小型のシリンダ錠ユニットが前扉の内側に取り付けられるので、前扉の軽量化に応えることができる。
【００１３】
ここで、上記シリンダ錠ユニットの基枠に取り付けたシリンダ錠の真後位置に、ローラ取付部を背面側に突出して設け、該ローラ取付部に支持ローラを軸支し、上記キャビネット側ユニットの基枠体に該支持ローラを受けて支持するローラ支持部を設けることが好ましい。これによれば、キーまたはシリンダ錠を持って前扉を閉じる際、前扉を閉じる力を、シリンダ錠ユニットの支持ローラからストレートに、キャビネット側ユニットのローラ支持部に伝えることができ、不安定な曲げモーメントを生じさせずに、スムーズに前扉を閉じることができる。
【００１４】
また、ここで、シリンダ錠ユニットの基枠の上部が上方に延設され、該上部の延設部分に円柱部材を取り付け、該上部の円柱部材はキャビネット側ユニットの上部のラッチ部材に拘束可能に配置され、該キャビネット側ユニットの下部のラッチ部材に対応して、下部の円柱部材を有する受け金具を前扉に取り付けるように構成することができる。これによれば、受け金具の取付作業を最少にしつつ、シリンダ錠ユニットの小型化を図ることができる。
【発明の効果】
【００１５】
本発明のゲーム機の施錠装置によれば、キャビネット側ユニット及びシリンダ錠ユニットの小型軽量化を図り、キャビネット側ユニット及びシリンダ錠ユニットの取付スペースを縮小することができる。
【図面の簡単な説明】
【００１６】
【図１】本発明の一実施形態を示す施錠装置のキャビネット側ユニットとシリンダ錠ユニットの正面図である。
【図２】同キャビネット側ユニットとシリンダ錠ユニットの左側面図である。
【図３】同キャビネット側ユニットとシリンダ錠ユニットの右側面図である。
【図４】同キャビネット側ユニットとシリンダ錠ユニットの斜視図である。
【図５】同キャビネット側ユニットとシリンダ錠ユニットの斜視図である。
【図６】分離した状態のキャビネット側ユニットとシリンダ錠ユニットの斜視図である。
【図７】分離した状態のキャビネット側ユニットとシリンダ錠ユニットの斜視図である。
【図８】キャビネット側ユニットの基枠体を透明とし、当該ユニットの内部を拡大して示す拡大斜視図である。
【図９】キャビネット側ユニットのカバー部材を外した状態の斜視図である。
【図１０】カバー部材を外したキャビネット側ユニットの拡大部分右側面図である。
【図１１】（ａ）はカバー部材を外したキャビネット側ユニットの拡大部分右側面図、（ｂ）はラッチ部材の拡大側面図である。
【図１２】キャビネット側ユニットの分解斜視図である。
【図１３】キャビネット側ユニットの分解斜視図である。
【図１４】作動杆とラッチ部材の拡大分解斜視図である。
【図１５】シリンダ錠ユニットの斜視図である。
【図１６】シリンダ錠ユニットの分解斜視図である。
【図１７】施錠装置の使用状態を示す断面図である。
【図１８】施錠した状態の施錠装置の内部機構を示す部分拡大右側面図である。
【図１９】解錠時の施錠装置の内部機構を示す部分拡大右側面図である。
【図２０】解錠した状態の施錠装置の内部機構を示す部分拡大右側面図である。
【発明を実施するための形態】
【００１７】
以下、本発明の実施形態を図面に基づいて説明する。図１〜図５はスロットマシン機等のゲーム機の前扉をキャビネットに対し施錠する施錠装置の全体を示しており、この施錠装置は、概略的には、ゲーム機のキャビネットに取り付けられるキャビネット側ユニット１と、前扉に取り付けられ、シリンダ錠３２を備えたシリンダ錠ユニット３０とを備えて構成される。
【００１８】
図９に示すように、施錠装置のキャビネット側ユニット１内には、前扉を施錠するためのラッチ部材３，４が傾動可能に枢支される。施錠装置は、基本的に、前扉に設けたシリンダ錠ユニット３０の円柱部材３５及び受け金具５０（図６）の円柱部材５１を、ラッチ部材３，４に拘束係止させ、前扉を施錠する構造であり、解錠時には、シリンダ錠ユニット３０のシリンダ錠３２を解錠操作し、ラッチ部材３，４による円柱部材３５，５１の拘束係止を解除し、前扉を解錠するように構成される。
【００１９】
キャビネット側ユニット１は、図９〜図１４に示すように、ゲーム機のキャビネットの前面開口部内側の側壁に、縦に取り付けられるユニットであり、縦長で、横断面を略コ字状とした基枠体２を備えている。基枠体２の内部には、施錠機構として、上部と下部にラッチ部材３，４が各々傾動可能に枢支され、ラッチ部材３，４を解錠動作させるための作動杆１０が基枠体２内に、縦方向に配設される。基枠体２の開口側（右側）にはカバー部材９が基枠体２内の施錠機構を覆って取り付けられる。図１７に示すように、キャビネット側ユニット１がキャビネット５５の内側壁に取り付けられる場合、そのカバー部材９側をキャビネット５５の内側壁に接して取り付けられる。
【００２０】
キャビネット側ユニット１の前後方向は、図４において、Ｆが前方、Ｒが後方、ＲＩが右、Ｌが左を示しており、キャビネット側ユニット１の基枠体２の正面幅（左右の幅）は、側面幅（前後の幅）に比して非常に小さく、基枠体２は、全体として、その正面形状を側面形状に比して薄くした薄型に形成されている。基枠体２は、取付側面の幅が正面の幅より広い長方形断面を有した薄型に形成される。
【００２１】
つまり、図４に示すように、縦長の基枠体２は、その正面幅Ａが、奥行幅Ｂに比して１／３以下に薄くした薄型のケースフレームとして形成される。これにより、図１７に示す如く、キャビネット側ユニット１をゲーム機のキャビネット５５の内側に取り付ける際、キャビネット５５内の取付スペースが非常に狭い場合であっても、キャビネット側ユニット１をキャビネット５５の内側に容易に取り付けることができ、また、ゲーム機のキャビネット５５内に収納される多く部品との干渉を避けて安全に取り付けることができる。
【００２２】
図９に示すように、基枠体２はその横断面を略コ字状として縦長に形成されるが、その開口部側にはカバー部材９が内部の施錠機構を覆うように取り付けられる。このような基枠体２の開口側を覆って取り付けられるカバー部材９と基枠体２の内部空間を確保してカバー部材９を取り付けるために、複数の円筒スペーサ５が、基枠体２内の幅方向に取り付けられ、この円筒スペーサ５は、キャビネット側ユニット１をキャビネットの側壁面に固定する際の固定ねじの挿通孔としも使用される。
【００２３】
つまり、円筒スペーサ５の端部が当接する基枠体２及びカバー部材９には、取付孔２ａ（図２）が穿設され、図１７のように、キャビネット側ユニット１をキャビネット５５内に取り付ける場合、カバー部材９側をキャビネット５５の側壁に当接させ、図示しない固定ねじを取付孔２ａから円筒スペーサ５内に通し、基枠体２とカバー部材９を共締めで締め付け固定するようになっている。これにより、最少の数の固定ねじでキャビネット側ユニット１をキャビネット５５内の定位置に、強固に固定することができ、基枠体２とカバー部材９により内部の施錠機構を保持した状態で、高い取付強度でカバー部材９と基枠体２を一体的に固定することができる。
【００２４】
図６に示すように、キャビネット側ユニット１の基枠体２には、その前面の上部と下部に、受入開口部２１，２２が開口形成され、前扉を閉じたとき、前扉側のシリンダ錠ユニット３０の円柱部材３５，５１を、受入開口部２１，２２内に進入させる。これにより、前扉の閉鎖時、受入開口部２１，２２から内側に進入した円柱部材３５,５１をラッチ部材３，４により拘束係止して施錠する構造である。さらに、基枠体２の前面の中央近傍には、係合受入開口部２３が開口形成される。この係合受入開口部２３には、前扉の閉鎖時、前扉の内側に取り付けたシリンダ錠ユニット３０の係合ピン３９が進入し、基枠体２内に摺動可能に配設した摺動部材３４の係合ピン３９と基枠体２内の作動杆１０の受入係合部１３を係合可能とする。
【００２５】
さらに、図６に示すように、基枠体２の左側面の上下略中央部には、支持ローラ３７を受けて支持するためのローラ支持部８が固定される。ローラ支持部８はその下板と上板の間に支持ローラ３７を進入させるように形成され、その前部が上下に拡開して形成され、ローラ支持部８内に支持ローラ３７が進入したとき、下板でその荷重を受け、僅かに支持ローラ３７を持ち上げて支持するように作用する。支持ローラ３７は、図６，７，１５の如く、シリンダ錠ユニット３０の基枠３１の背面側に突設されたローラ取付部３６の側面に、突出して回動可能に軸支される。
【００２６】
また、この支持ローラ３７は、特に、基枠３１の前面に突出して取り付けられるシリンダ錠３２の真後位置に（シリンダ錠３２と同一水平線上に）、背面側に突出して取り付けられる。これにより、使用者がキーをシリンダ錠３２に差し込んだ状態で、キーを持って前扉５６をキャビネット５５に対し閉じたとき、キーからシリンダ錠ユニット３０のシリンダ錠３２を介してキャビネット側ユニット１に伝わる閉鎖力が、支持ローラ３７からローラ支持部８に直線的に伝達され、前扉５６の荷重が閉鎖力とともにストレートにローラ支持部８にかかるようになっている。これにより、キーをシリンダ錠３２に差し込んだ状態で、キーを持って前扉５６を閉じたとき、前扉の閉鎖力が直線的にローラ支持部８にかかり、より円滑に前扉を僅かに持ち上げながら閉鎖することができる。
【００２７】
なお、図６などに示すように、基枠体２の中間部下寄りには、左側面を凹状とした凹部が形成され、これに対応して、基枠体２の一部を背面側に突出させることにより、取付部２６が突設される。また、この左側面の凹部に対応して、基枠体２内を縦に通る作動杆１０には、その下部寄りに、曲折連結部１８が設けられ、凹部を回避して作動杆１０を基枠体２の下部まで連続させる構造としている。
【００２８】
図１０、図１３に示すように、基枠体２内には、受入開口部２１、２２の近傍に、ラッチ部材３，４が支軸３ｃ、４ｃを介して回動（傾動）可能に軸支される。ラッチ部材３，４には、拘束凹部３ａ，４ａが、シリンダ錠ユニット３０側の円柱部材３５または受け金具５０の円柱部材５１を拘束して係止するように、設けられる。ラッチ部材３，４は、その拘束凹部３ａ，４ａを受入開口部２１，２２に向けた開放状態において円柱部材３５，５１を受け入れ、図１８の状態まで反時計方向に回動して施錠し、解錠時には、図２０のように、時計方向に回動して円柱部材３５，５１を開放するように軸支される。
【００２９】
これにより、キャビネット側ユニット１は、キャビネットに対し前扉を閉じたとき、シリンダ錠ユニット３０側の円柱部材３５及び受け金具５０の円柱部材５１が、基枠体２の受入開口部２１、２２に進入し、ラッチ部材３，４の回動によって、その拘束凹部３ａ，４ａに円柱部材３５，５１が進入して拘束係止され、施錠する構造である。
【００３０】
このために、ラッチ部材３，４には、図１１のように、円柱部材３５,５１を拘束して係止する、溝状の拘束凹部３ａ，４ａが形成される。さらに、ラッチ部材３，４には、係止ピン３ｂ、４ｂが取り付けられ、この係止ピン３ｂは、基枠体２内の作動杆１０の上部のガイド孔６に係合し、係止ピン４ｂは、作動杆１０の下部のガイド孔７に係合する。図１３,１４に示すように、作動杆１０の上部には、略Ｌ字状のガイド孔６が設けられ、ガイド孔６の一端に係止部６ａが形成され、ガイド孔６の他端に開放部６ｂが形成される。作動杆１０の下部には、略同様に、Ｌ字状のガイド孔７が設けられ、ガイド孔７の一端に係止部７ａが形成され、ガイド孔７の他端に開放部７ｂが形成される。このような略Ｌ字状のガイド孔６，７内を係止ピン３ｂ、４ｂが移動することにより、ラッチ部材３，４の施錠と解錠が行われる。
【００３１】
さらに、ガイド孔６,７の下側には、上下に長い長孔として軸ガイド孔１４，１５が形成され、上記ラッチ部材３，４の支軸３ｃ、４ｃは、この軸ガイド孔１４，１５を通り、且つラッチ部材３，４を貫通してその先端が基枠体２の内側面の所定位置に固定される。さらに、上部と下部のラッチ部材３，４には、各々、コイルばね１１，１２の一端が掛けられ、コイルばね１１，１２の他端は図１０などに示すように、作動杆１０の上端部または下端部に掛けられる。
【００３２】
作動杆１０は、図１０〜図１３に示す如く、ラッチ部材３，４の支軸３ｃ、４ｃが作動杆１０に設けた長孔の軸ガイド孔１４，１５を通る。このため、作動杆１０は所定の上下幅で上下動が可能である。さらに、作動杆１０には、図１２に示すように、長孔１６，１７が形成され、基枠体２内に取り付けられる円筒スペーサ５，５が長孔１６，１７に挿通され、作動杆１０の上下動をガイドする。また、作動杆１０の中間部に設けた受入係合部１３がシリンダ錠ユニット３０側の摺動部材３４の係合ピン３９により持ち上げられたとき、作動杆１０は僅かに上昇可能な構造となっている。
【００３３】
このため、シリンダ錠ユニット３０側の解錠操作により、摺動部材３４が上昇し、係合ピン３９、受入係合部１３を介して、図１９のように、作動杆１０が上昇したとき、相対的に係止ピン３ｂ、４ｂがガイド孔６,７を下側に移動し、これにより、係止ピン３ｂ、４ｂが作動杆１０のガイド孔６，７の係止部６ａ，７ａから外れる。このとき、ラッチ部材３，４は、図１９、２０に示すように、コイルばね１１，１２によって図の時計方向に付勢されているため、ラッチ部材３，４は支軸３ｃ、４ｃを中心に時計方向つまり解錠側に回動し、係止ピン３ｂ、４ｂがガイド孔６，７内を図の右方向に逃げ、開放部６ｂ、７ｂまで移動し開放状態となる構造である。
【００３４】
一方、解錠状態において、上下のラッチ部材３，４は、コイルばね１１，１２の付勢力により、図２０に示す如く、図の時計方向に付勢され、その拘束凹部３ａ，４ａを受入開口部２１,２２側に向けて、円柱部材３５、５１を拘束凹部３ａ，４ａから開放し、或いは円柱部材３５、５１を拘束凹部３ａ，４ａ内に受け入れ可能な状態で停止する。
【００３５】
他方、キャビネット５５に対し前扉５６が閉じられ、それにより、前扉５６側の円柱部材３５、５１がラッチ部材３，４の拘束凹部３ａ，４ａ内に進入し、図１０，２０の反時計方向にラッチ部材３，４が、コイルばね１１,１２の付勢力に抗して回動し、図１０の施錠状態に達したとき、係止ピン３ｂ、４ｂがガイド孔６,７内を上に移動し、図１０の如く、係止ピン３ｂ、４ｂがガイド孔６，７の上部の係止部６ａ，７ａに係止される状態となる。この状態で、ラッチ部材３，４は、図１０のように円柱部材３５、５１を拘束凹部３ａ，４ａ内に拘束して係止し、施錠状態となって保持される構造である。
【００３６】
なお、この実施形態では、ラッチ部材３，４に係止ピン３ｂ、４ｂを取り付け、作動杆１０に対応位置にガイド孔６、７を設け、ガイド孔６，７に係止部６ａ，７ａと開放部６ｂ、７ｂを設けたが、係止ピンは基枠体側に取り付け、係止部、開放部のガイド孔はラッチ部材３，４に設けることもできる。また、ラッチ部材３，４を付勢するコイルばねは基枠体との間に装着することもできる。
【００３７】
解錠操作するシリンダ錠３２は、シリンダ錠ユニット３０の基枠３１に、取り付けられる。図１５，１６に示すように、シリンダ錠ユニット３０の基枠３１は、縦長のフレーム状に形成され、その下部正面側に大径の円形孔が設けられ、シリンダ錠３２が内側から先端側をその円形孔から前方に突き出すように挿入し取り付けられる。このシリンダ錠３２の取付部から背面側に突き出すように、ローラ取付部３６が基枠３１に設けられ、ローラ取付部３６には支持ローラ３７が水平支軸により回転自在に軸支される。この支持ローラ３７の支軸の水平位置はシリンダ錠３２の軸心位置と同じに設定され、前扉の閉鎖時、シリンダ錠３２のキーを持ってシリンダ錠ユニット３０を押したとき、その力がキャビネット側ユニット１のローラ支持部８にストレートに加わるようになっている。基枠３１の上部には円柱部材３５が水平横方向に取り付けられ、シリンダ錠ユニット３０を取り付けた前扉を閉じたとき、円柱部材３５がキャビネット側ユニット１の受入開口部２１内に進入し、ラッチ部材３の拘束凹部３ａに係止される。
【００３８】
図１５，１６に示すように、基枠３１の内側には摺動部材３４が上下に摺動可能に配設され、シリンダ錠３２の錠軸３２ａにはカム部材３３が取り付けられる。摺動部材３４にはカム部材３３の係合部と係合可能なカム係合部３４ａが設けられ、シリンダ錠３２にキーを差し込み右に回したとき、カム部材３３が同方向に回動し、カム部材３３の係合部がカム係合部３４ａと係合して、摺動部材３４を所定のストロークだけ上方に摺動させるようになっている。摺動部材３４の上部には係合ピン３９が水平横方向に取り付けられ、上記のように、前扉を閉じてシリンダ錠ユニット３０をキャビネット側ユニット１に結合させたとき、係合ピン３９はキャビネット側ユニット１の基枠体２の係合受入開口部２３内に進入し、作動杆１０の受入係合部１３に係合するようになっている。
【００３９】
図１６に示す如く、摺動部材３４と後述のスイッチ作動杆４０との間にコイルばね３８が掛けられ、コイルばね３８により摺動部材３４は下側に付勢されるため、シリンダ錠３２の回動時、摺動部材３４はコイルばね３８の付勢力に抗して上昇し、その後、下降して元の位置に戻る。摺動部材３４には３本のガイドピン３４ｃが取り付けられ、各ガイドピン３４ｃは基枠３１の側壁部に設けた各々のガイド孔（長孔）に挿通され、摺動部材３４の上下動をガイドする。
【００４０】
なお、基枠３１の下部には非接触スイッチ４１が取り付けられ、摺動部材３４の下端部に設けた作動部３４ｂが上昇したとき、非接触スイッチ４１から解錠を示す信号が出力されるようになっている。また、摺動部材３４と基枠３１の側壁部との間に、スイッチ作動杆４０が上下に摺動可能に配設される。スイッチ作動杆４０にはカム部材３３の他方の係合部と係合可能なカム係合部４０ａが設けられ、スイッチ作動杆４０の下端部には作動部４０ｂが設けられ、非接触スイッチ４１に作動部４０ｂが作用するようになっている。これにより、シリンダ錠３２を解錠側とは逆に回したとき、カム部材３３がカム係合部４０ａに係合し、スイッチ作動杆４０が下降し、作動部４０ｂが非接触スイッチ４１に作用し、リセット信号などを出力するようになっている。スイッチ作動杆４０には、上記ガイドピン３４ｃが挿通されるガイド孔が設けられ、上下動をガイドされる。
【００４１】
なお、シリンダ錠ユニット３０の基枠３１の上部に、ラッチ部材３の受け金具となる円柱部材３５が取り付けられるが、この円柱部材３５を、基枠３１とは別体の受け金具に取り付けるようにすれば、基枠３１をより短く小形化することができる。図７に示すように、下側のラッチ部材４に対しては、円柱部材５１を設けた受け金具５０が前扉の下部に取り付けられ、ラッチ部材４にこの円柱部材５１が拘束係止されることにより、前扉が施錠されるようになっている。
【００４２】
上記のように構成された施錠装置のキャビネット側ユニット１は、図１７、２０に示すように、ゲーム機のキャビネット５５の内側壁面に、その受入開口部２１，２２を前面側つまり前扉５６側に向け、縦に取り付けられる。
【００４３】
キャビネット側ユニット１を取り付ける場合、基枠体２のカバー部材９側をキャビネット５５の側壁面に当て、基枠体２内に設けた円筒スペーサ５の取付孔に固定ねじを嵌挿し、固定ねじの先端を側壁面にねじ込み、基枠体２とカバー部材９を固定ねじで共締めして固定する。
【００４４】
これにより、基枠体２がその内側の円筒スペーサ５を取付孔として使用し、縁部に突出する取付部などを使用せずに、小型に且つ薄型に形成されるため、非常に少ない占有スペースで、キャビネット側ユニット１をキャビネット５５の内側側壁部に取り付けることができる。そのため、その取付作業は、固定ねじを円筒スペーサ５の取付孔に挿入し、共締めするのみで簡単に且つ確実にユニットを取り付けることができる。
【００４５】
一方、前扉５６側には、シリンダ錠ユニット３０が、上部のラッチ部材３の受入開口部２１に円柱部材３５の水平位置を合わせて取り付けられ、下部のラッチ部材４に対応して、受け金具５０が前扉５６の内側の下部に固定される。下部の受け金具５０は、図６，７に示すように、小型に形成され、円柱部材５１が、キャビネット側ユニット１の受入開口部２２に対応した位置に、水平に固定されている。
【００４６】
次に、上記構成の施錠装置の動作を説明する。ゲーム機の前扉５６をキャビネット５５に対し閉じると、前扉５６に取り付けたシリンダ錠３２の基枠３１の上部の円柱部材３５が、キャビネット側ユニット１の基枠体２の上部の受入開口部２１に進入し、ラッチ部材３の拘束凹部３ａ内に進入する。また、同様に、前扉５６に取り付けた下部の受け金具５０の円柱部材５１が、図６，７の如く、キャビネット側ユニット１の基枠体２の下部の受入開口部２２に進入し、ラッチ部材３の拘束凹部３ａ内に進入する。このとき、キャビネット側ユニット１のラッチ部材３，４は、図２０に示す如く、拘束凹部３ａ，４ａを前方に開放した状態となっている。
【００４７】
このとき、ラッチ部材３，４は、円柱部材３５，５１に押され、図２０の反時計方向にコイルばね１１，１２のばね力に抗して回動する。このとき、ラッチ部材３，４の回動に伴い、係止ピン３ｂ、４ｂがガイド孔６、７の開放部６ｂ、７ｂから離れて中央部に移動し、中央部で作動杆１０がコイルばね１１，１２の付勢力により下降する。このとき、相対的に係止ピン３ｂ、４ｂがガイド孔６，７の係止部６ａ，７ａまで上昇し、係止ピン３ｂ、４ｂが係止され、これにより、ラッチ部材３，４が図１８のように、円柱部材３５，５１を拘束凹部３ａ，４ａ内に拘束した状態に保持され、前扉５６はキャビネット５５に対し施錠状態となる。
【００４８】
一方、前扉５６を解錠する場合、図１９のように、シリンダ錠ユニット３０のシリンダ錠３２にキーを挿入しその鍵を右に回す。このとき、カム部材３３が同方向に回動し、カム部材３３の係合部４７に係合して摺動部材３４を押し上げる。これにより、摺動部材３４が上昇して、その上部に取り付けられた係合ピン３９が上昇し、キャビネット側ユニット１の作動杆１０の受入係合部１３を押し上げる。
【００４９】
このとき、作動杆１０の上昇により、図１９のように、ラッチ部材３，４の係止ピン３ｂ、４ｂが相対的にガイド孔６，７内を下降し、その係止部６ａ，７ａを離れて中央部に移動する。このとき、コイルばね１１，１２の付勢力によりラッチ部材３，４が図２０のように時計方向に回動し、これにより、円柱部材３５，５１がラッチ部材３，４の拘束凹部３ａ，４ａから開放されて離れ、解錠され、図２０のように、シリンダ錠ユニット３０の前扉５６が開放される。
【００５０】
ところで、ゲーム機が実際に使用されるパチンコホールなどにおいては、係員がゲーム機の前扉５６を開いた後、施錠する際、通常、キーをシリンダ錠３２に差し込んだ状態で、キーを持って前扉５６を閉じる。
【００５１】
このような場合、前扉５６を閉じる力は、シリンダ錠３２からその背面側の真後ろに位置する支持ローラ３７にストレートに伝わり、支持ローラ３７がキャビネット側ユニット１のローラ支持部８上を転動して前扉５６が僅かに持ち上げられながら閉鎖される際、曲げモーメントなどが作用せず、直接的に閉鎖力として作用する。このため、使用者はキーを持った状態であっても、少ない閉鎖力でスムーズに前扉５６を閉鎖して確実に施錠することができる。
【００５２】
なお、上記実施形態では、シリンダ錠ユニット３０の基枠３１の上部に、受け金具の円柱部材３５を取り付けたが、受け金具を基枠３１とは別個に設けることもできる。また、逆に、下側の受け金具５０の円柱部材５１は、基枠３１の下部を下方に延設し、その下部に下側の円柱部材を取り付けることもできる。
【符号の説明】
【００５３】
１      キャビネット側ユニット
２      基枠体
２ａ    取付孔
３      ラッチ部材
３ａ    拘束凹部
３ｂ    係止ピン
３ｃ    支軸
４      ラッチ部材
４ｂ    係止ピン
５      円筒スペーサ
６      ガイド孔
６ａ    係止部
６ｂ    開放部
７      ガイド孔
７ａ    係止部
７ｂ    開放部
８      ローラ支持部
９      カバー部材
１０    作動杆
１３    受入係合部
１４    軸ガイド孔
１６    長孔
１８    曲折連結部
２１    受入開口部
２２    受入開口部
２３    係合受入開口部
２６    取付部
３０    シリンダ錠ユニット
３１    基枠
３２    シリンダ錠
３２ａ  錠軸
３３    カム部材
３４    摺動部材
３４ａ  カム係合部
３４ｂ  作動部
３４ｃ  ガイドピン
３５    円柱部材
３６    ローラ取付部
３７    支持ローラ
３９    係合ピン
４０    スイッチ作動杆
４０ａ  カム係合部
４０ｂ  作動部
４１    非接触スイッチ
４７    係合部
５０    受け金具
５１    円柱部材
５５    キャビネット
５６    前扉
【図１】
2015196074.tif 000003
【図２】
2015196074.tif 000004
【図３】
2015196074.tif 000005
【図４】
2015196074.tif 000006
【図５】
2015196074.tif 000007
【図６】
2015196074.tif 000008
【図７】
2015196074.tif 000009
【図８】
2015196074.tif 000010
【図９】
2015196074.tif 000011
【図１０】
2015196074.tif 000012
【図１１】
2015196074.tif 000013
【図１２】
2015196074.tif 000014
【図１３】
2015196074.tif 000015
【図１４】
2015196074.tif 000016
【図１５】
2015196074.tif 000017
【図１６】
2015196074.tif 000018
【図１７】
2015196074.tif 000019
【図１８】
2015196074.tif 000020
【図１９】
2015196074.tif 000021
【図２０】
2015196074.tif 000022